(57)【特許請求の範囲】
【請求項１】
原稿データをモノクロ方式のみならずカラー方式で送信する機能に加え、カバーページデータを作成して前記原稿データとともに送信する機能を備えた通信装置であって、
他の通信装置に対して送信するための原稿データを読み取る原稿データ読取手段と、
前記カバーページデータを、予め記憶されたカバーページ用ひな形データから、ユーザからの操作により所望の情報が入力されることによって、作成するカバーページ作成手段と、
前記カバーページ作成手段により得られた前記カバーページデータのみを対象としてカラー又はモノクロのいずれの方式で送信するかを設定する送信方法設定手段と、
前記カバーページ作成手段により得られた前記カバーページデータを、前記送信方法設定手段で設定された送信方法で送信するとともに、前記原稿データ読取手段により読み取られた原稿データを送信する送信制御手段とを有することを特徴とする通信装置。
【請求項２】
前記送信制御手段は、前記カバーページデータのみを対象としてカラー方式またはモノクロ方式のいずれかを選択するユーザの設定操作に応じて、前記カバーページデータを送信させる、請求項１に記載の通信装置。
【請求項３】
前記カバーページ作成手段は、カバーページ用ひな形データを有し、画像データを該カバーページ用ひな形データの所定位置に取り込み可能であり、前記画像データが前記カバーページ用ひな形データの所定位置の領域内に入る大きさにサイズ変更して取り込むことにより前記カバーページデータを作成する、請求項１に記載の通信装置。
【請求項４】
前記送信制御手段は、前記カバーページデータにカラー画像データが含まれる場合、そのカバーページデータをカラー方式で送信させる、請求項１または３に記載の通信装置。
【請求項５】
原稿データをモノクロ方式のみならずカラー方式で送信する機能に加え、カバーページデータを作成して前記原稿データとともに送信する機能を備えた通信装置を制御するためのプログラムを記憶したコンピュータ読り取り可能な記憶媒体であって、
他の通信装置に対して送信するための原稿データを読み取る原稿データ読取プログラムと、
前記カバーページデータを、予め記憶されたカバーページ用ひな形データから、ユーザからの操作により所望の情報が入力されることによって、作成するためのカバーページ作成プログラムと、
前記カバーページ作成プログラムに基づいて得られた前記カバーページデータのみを対象としてカラー又はモノクロのいずれの方式で送信するかを設定する送信方法設定プログラムと、
前記カバーページ作成プログラムに基づいて得られた前記カバーページデータを前記送信方法設定プログラムで設定された送信方法で送信するとともに、前記原稿データ読取プログラムに基づいて得られた原稿データを送信する送信制御プログラムとを含むプログラムを記憶したことを特徴とするコンピュータ読り取り可能な記憶媒体。
【発明の詳細な説明】
【０００１】
【発明の属する技術分野】
本発明は、原稿のカラー送信機能に加えて、送付状などのカバーページデータを作成して原稿データとともに送信する機能を備えた通信装置に関する。
【０００２】
【従来の技術】
最近のファクシミリ装置には、原稿から読み取って得たモノクロの原稿データのみならず、カラーの原稿データを送信する機能（カラー原稿送信機能）を備えたものがある。また、ファクシミリ送信する場合には、通常、原稿に送付状などの添付書類（以下、「カバーページ」と言う）を添えて送るが、予め、メモリ等に記憶されたカバーページ用のひな形データのうちの可変部分を所望のデータに変更することによって、カバーページデータを作成して、そのカバーページデータを原稿データとともに送信する機能（カバーページ送信機能）を備えたファクシミリ装置もある。従来装置においては、上述のカバーページ用ひな形データは、ユーザーが変更可能な可変部分と変更できない固定部分とからなり、通常モノクロデータとしてメモリに準備されていて、宛先名や発信者名をその都度ユーザが必要に応じ変更できるように構成されていたが、それらはカラー情報を有しないものであった。
【０００３】
【発明が解決しようとする課題】
ところで、この種のカバーページ送信機能は、カラー原稿送信機能の下位に位置づけられて構築されており、原稿データをカラー方式で送信する場合には、カバーページデータもカラー方式で送信され、原稿データをモノクロ方式で送信する場合には、カバーページデータもモノクロ方式で送信される。
【０００４】
ところが、従来装置においてはカバーページ用ひな形データからカバーページデータを作成して、そのカバーページデータをカラー方式で送信しても、元のデータそのものがモノクロデータとしてカラー情報を有していないため、受信側ではカバーページをカラーで表現することができず、カバーページデータをカラー方式で送信する意味がなかった。また、原稿データをモノクロ方式で送信する一方、それに相異してカバーページデータをカラー方式で送信するといったことができないので、カラーのカバーページをカラフルに目立たせてモノクロ原稿との差別化を図ることができなかった。従来装置において、カラーのカバーページの送信を行う場合は別途カラー印刷可能なワープロ等によって実際に送信したいカラーの原稿を作成して、そのカラーの原稿を送信の度毎に読み取らせて送信する必要があり、原稿作成、読み取り処理等に時間が掛かり、実用的ではなかった。
【０００５】
本発明は、上記の点に鑑みて提案されたものであって、原稿データとは送信方式を別にして、カラーのカバーページデータを簡単に作成でき、そのカバーページデータを読み取り装置を介さず、原稿とともにカラー方式で送信できる通信装置、およびそのような通信装置を制御するためのプログラムを記憶した記憶媒体を提供することを目的とする。
【０００６】
【課題を解決するための手段】
上記目的を達成するために、請求項１に記載した発明の通信装置は、原稿データをモノクロ方式のみならずカラー方式で送信する機能に加え、カバーページデータを作成して前記原稿データとともに送信する機能を備えた通信装置であって、他の通信装置に対して送信するための原稿データを読み取る原稿データ読取手段と、前記カバーページデータを、予め記憶されたカバーページ用ひな形データから、ユーザからの操作により所望の情報が入力されることによって、作成するカバーページ作成手段と、前記カバーページ作成手段により得られた前記カバーページデータのみを対象としてカラー又はモノクロのいずれの方式で送信するかを設定する送信方法設定手段と、前記カバーページ作成手段により得られた前記カバーページデータを、前記送信方法設定手段で設定された送信方法で送信するとともに、前記原稿データ読取手段により読み取られた原稿データを送信する送信制御手段とを有することを特徴とする。
【０００７】
このような通信装置によれば、原稿データとは送信方式を別にしてカバーページデータの送信方法が送信方法設定手段でカラー方法に設定されると、カバーページデータをカラー方式で送信するので、たとえば原稿データをモノクロ方式で送信する一方、それに相異してカラーのカバーページデータをカラー方式で送信することができ、カラーのカバーページをカラフルに目立たせてモノクロ原稿との差別化を図ることができる。
【０００８】
また、請求項２に記載した発明の通信装置は、請求項１に記載の通信装置であって、前記送信制御手段は、前記カバーページデータのみを対象としてカラー方式またはモノクロ方式のいずれかを選択するユーザの設定操作に応じて、前記カバーページデータを送信させる。
【０００９】
このような通信装置によれば、請求項１に記載の通信装置による効果に加えて、カバーページデータをカラー方式で送信するか、またはモノクロ方式で送信するかを、ユーザが原稿データとは切り離して任意に選択することができる。
【００１０】
さらに、請求項３に記載した発明の通信装置は、請求項１に記載の通信装置であって、前記カバーページ作成手段は、カバーページ用ひな形データを有し、カラー画像を読み取って得たカラー画像データを該カバーページ用ひな形データの所定位置に取り込み可能であり、前記画像データが前記カバーページ用ひな形データの所定位置の領域内に入る大きさにサイズ変更して取り込むことにより前記カバーページデータを作成する。
【００１１】
このような通信装置によれば、請求項１に記載の通信装置による効果に加えて、所望のカラー画像データをカバーページ用ひな形データの所定位置に読み取るという簡単な操作により、カラーのカバーページデータを作成できる。
【００１２】
さらに、請求項４に記載した発明の通信装置は、請求項１または３に記載の通信装置であって、前記送信制御手段は、前記カバーページデータに前記カラー画像データが含まれる場合、そのカバーページデータをカラー方式で送信させる。
【００１３】
このような通信装置によれば、請求項１または３に記載の通信装置による効果に加えて、カバーページデータに部分的なカラー画像データが含まれる場合、そのカバーページデータを自動的にカラー方式で送信することができる。
【００１４】
また、請求項５に記載した発明の記憶媒体は、原稿データをモノクロ方式のみならずカラー方式で送信する機能に加え、カバーページデータを作成して前記原稿データとともに送信する機能を備えた通信装置を制御するためのプログラムを記憶したコンピュータ読り取り可能な記憶媒体であって、他の通信装置に対して送信するための原稿データを読み取る原稿データ読取プログラムと、前記カバーページデータを、予め記憶されたカバーページ用ひな形データから、ユーザからの操作により所望の情報が入力されることによって、作成するためのカバーページ作成プログラムと、前記カバーページ作成プログラムに基づいて得られた前記カバーページデータのみを対象としてカラー又はモノクロのいずれの方式で送信するかを設定する送信方法設定プログラムと、前記カバーページ作成プログラムに基づいて得られた前記カバーページデータを前記送信方法設定プログラムで設定された送信方法で送信するとともに、前記原稿データ読取プログラムに基づいて得られた原稿データを送信する送信制御プログラムとを含むプログラムを記憶したことを特徴とする。
【００１５】
このような記憶媒体によれば、記憶されたプログラムに基づいてＣＰＵを動作させることにより、請求項１に記載の通信装置の動作を実現することができる。
【００１６】
【発明の実施の形態】
以下、本発明の好ましい実施の形態について図面を参照して説明する。
【００１７】
図１は、本発明に係る通信装置の一実施形態としてのファクシミリ装置の回路ブロック図である。この図に示すように、本発明に係るファクシミリ装置は、ＣＰＵ１０、ＮＣＵ１１、ＲＡＭ１２、モデム１３、ＲＯＭ１４、ＥＥＰＲＯＭ１５、ゲートアレイ１６、コーデック１７、ＤＭＡＣ１８、読取部２１、印刷部２２、操作部２３、および表示部２４などを具備して構成されている。ＣＰＵ１０、ＮＣＵ１１、ＲＡＭ１２、モデム１３、ＲＯＭ１４、ＥＥＰＲＯＭ１５、ゲートアレイ１６、コーデック１７、およびＤＭＡＣ１８は、バス線２７により相互に接続されている。バス線２７には、アドレスバス、データバス、および制御信号線が含まれる。ゲートアレイ１６には、読取部２１、印刷部２２、操作部２３、および表示部２４が接続されている。ＮＣＵ１１には、公衆電話回線２８が接続されている。
【００１８】
ＣＰＵ１０は、ファクシミリ装置全体の動作を制御する。ＮＣＵ１１は、公衆電話回線２８に接続されて網制御を行う。ＲＡＭ１２は、各種機能に応じてＣＰＵ１０の作業領域や各種データの格納領域を提供する。モデム１３は、ファクシミリデータの変調や復調などを行う。ＲＯＭ１４は、ＣＰＵ１０が実行すべきプログラムや設定値などのデータを記憶している。ＥＥＰＲＯＭ１５は、各種のフラグや設定データなどを記憶する。ゲートアレイ１６は、ＣＰＵ１０と各部２１〜２４とのインターフェースとして機能する。コーデック１７は、ファクシミリデータの符号化や復号化を行う。ＤＭＡＣ１８は、主にＲＡＭ１２へのデータの書き込みや読み出しを行う。
【００１９】
読取部２１は、イメージスキャナや光源などを備え、原稿などから文字や図形などの画像を読み取る。読み取り方式としては、モノクロのみならずカラーで読み取ることも可能である。原稿などから読み取って得られたデータは、ＣＰＵ１０の制御に応じて一時的にＲＡＭ１２に格納される。このような読取部２１の原稿をセットしておく箇所には、原稿の有無に応じて信号をＣＰＵ１０に伝えるためのセンサ（図示省略）が設けられている。印刷部２２は、たとえばインクジェット方式や電子写真方式、あるいはインクリボンなどを用いた昇華型や熱転写方式などにより、文字や図形などの画像を用紙上に印刷する。操作部２３は、テンキーや文字キーなどのキースイッチ群を備え、使用者のキー操作に応じた指令をＣＰＵ１０に伝える。表示部２４は、ＬＣＤなどのディスプレイを備え、動作状態や操作ガイダンスなどを表示する。
【００２０】
要点について説明すると、本ファクシミリ装置は、送信すべき原稿から読み取って得たモノクロの原稿データのみならず、カラーの原稿データを送信することができるカラー原稿送信機能を備えたものである。また、本ファクシミリ装置は、定型書式的なカバーページの送信などに対応すべく、カバーページデータをカバーページ用ひな形データから簡単に作成して原稿データとともに送信するカバーページ送信機能を備える。
【００２１】
カバーページ送信機能では、第３図に示すように、あらかじめＥＥＰＲＯＭ１５などに送信用の定型文などといった定型情報を含むカバーページ用のひな形データ３０が数種類用意されている。カバーページ用のひな形データ３０は送信状案内部、発信者名等の通常固定的に使用可能で、変更する頻度が少ない固定データ３１と、宛先名、件名送信頁数等の送信の度に変更して使用され、変更される頻度が比較的多い可変データ３２と、ロゴマーク、広告、キャンペーン等の画像情報を取り込み可能なエリアとして予め定められたイメージ領域３３とを有している。カバーページ用ひな形データ３０は、カラーで定義されたものが少なくとも１種類は存在する。したがって、カバーページ用ひな形データ３０は、モノクロで定義された種類を含めて複数タイプあっても良いし、カラーデータを標準としてユーザのモノクロ指定に応じてモノクロに変換されるとしても良い。カバーページ用ひな形データ３０を原稿とともに送信する際には、宛先名や発信者名などといった送信ごとに異なる可変データ３２の可変情報をカバーページデータに含める必要があるため、その都度ユーザがキー操作により所望の情報を入力することにより、可変データ３２に所望のデータを入力できる。これにより、実物のカバーページを印刷させたりして、それをイメージスキャナを介して読み取る必要はなく、簡単にカバーページデータを作成してそのまま原稿データとともに送信できる。
【００２２】
また、本ファクシミリ装置には、たとえば送り主の社標やロゴマーク、広告、キャンペーンなどといった画像データを、前記イメージ領域３３に取り込んで、簡単にカバーページデータを作成して、送信する機能もある。それらの画像データは、イメージスキャナを介して、画像データが印刷された用紙またはプリントされた写真等から直接読み取ることができ、読み取られた画像データの縦横のサイズが前記カバーページ用ひな形データのイメージ領域３３の縦横方向のサイズと比較され、該イメージ領域３３の縦横サイズに納まる時は該読み取られた画像データの縦横サイズのまま該イメージ領域３３に取り込まれる。読み取られた画像データの縦横方向のサイズのうちいづれか一方が前記イメージ領域３３の縦横方向のサイズより大きく、該イメージ領域３３に納まらない時は該読み取られた画像データがその領域内に納まるサイズまで該画像データの縮小が為され該イメージ領域３３に取り込まれる。この縮小の過程で縦横のいづれか一方のみが納まらないような場合、その一方のみを縮小するか、縦横双方を均等に縮小して画像データの縦横方向の比率を元の画像のままに保持させるようにするかをユーザーが切換可能に構成されている。また、それらの画像データはパソコン上で取り扱い可能なＴＩＦＦ形式、ＪＰＥＧ形式のカラーあるいはモノクロのいづれかのデータを予め前記イメージ領域の縦横方向のサイズに適合して納まるようなサイズに加工しておいた画像データを前記イメージ領域３３に取り込むように構成しておいても良い。また、イメージスキャナを介して読み取られる画像データとしては、カラー、モノクロいづれのデータでも読み取り可能で、前記イメージ領域３３に取り込まれた画像データがカラー画像データを含むカバーページデータの場合は、基本的にカラーデータとして取り扱われる。また、モノクロのカバーページデータはモノクロで定義されたカバーページ用ひな形データ３０に上記のモノクロ画像データをイメージ領域３３取り込むことによって、作成できるよう構成されている。
【００２３】
そして、本ファクシミリ装置の最も特徴とする点は、ＣＰＵ１０の制御により、原稿データの送信方式とは切り分けて、カバーページデータの送信方式を切り換えできる点にある。たとえば、モノクロの原稿データをモノクロ方式で送信する場合、ＣＰＵ１０は、カバーページデータのみを対象としてユーザの設定操作に応じて、カバーページデータをカラー方式で送信させることができるし、モノクロ方式で送信させることもできる。カラーの原稿データをカラー方式で送信する場合についても同様である。また、ＣＰＵ１０は、カバーページデータにカラー画像データが含まれるか否かを判断し、カラー画像データが含まれる場合には、原稿データの送信方式とは別にして、カバーページデータを自動的にカラー方式に切り換えて原稿データとともに送信させても良い。これにより、カラー印刷に対応した受信側では、１回の受信でたとえばモノクロ原稿が印刷出力されるのに対し、原稿とは別にカバーページがカラーで印刷出力され、カバーページをカラフルに目立たせて宣伝効果などを高めることができる。
【００２４】
すなわち、ＣＰＵ１０は、原稿データとは別にして、カバーページデータをカラーで作成するカバーページ作成手段と、カバーページ作成手段によりカラーで得られたカバーページデータを、原稿データの送信方式とは別にカラー方式で送信させる送信制御手段とを実現している。
【００２５】
また、ＲＯＭ１４は、原稿から読み取って得た原稿データをモノクロ方式のみならずカラー方式で送信する機能に加え、カバーページデータを作成して原稿データとともに送信する機能を備えた通信装置を制御するためのプログラムを記憶した記憶媒体であって、原稿データとは別にして、カバーページデータをカラーで作成するためのカバーページ作成プログラムと、カバーページ作成プログラムに基づいてカラーで得られたカバーページデータを、原稿データの送信方式とは別にカラー方式で送信させるための送信制御プログラムとを含むプログラムを記憶した記憶媒体を実現している。
【００２６】
次に、カバーページ送信機能に応じた制御動作について図面を参照して説明する。
【００２７】
図２は、カバーページ送信機能に伴うデータの処理手順を示すフローチャートであって、まず、ＣＰＵ１０は、ファクシミリ送信に際してカバーページを要するためにユーザによるキー操作が行われたか否かを判断する（Ｓ１）。
【００２８】
カバーページを要する場合（Ｓ１：ＹＥＳ）、ＣＰＵ１０は、可変情報入力処理を行う（Ｓ２）。この可変情報入力処理では、あらかじめＥＥＰＲＯＭ１５などに用意された定型情報からなるカバーページ用のひな形データ３０に対し、ユーザのキー操作に応じて宛先名や発信者名などの所望の可変情報が入力される。こうした処理を経て得られたカバーページ用のデータは、次の処理までＲＡＭ１２に一時記憶される。なお、宛先名や発信者名などは、操作部２３の文字キーなどを利用して直接入力されるほか、ＥＥＰＲＯＭ１５などに登録された電話番号情報からの呼び出しに応じて入力されるとしても良い。また、カバーページ用のひな形データ３０は、複数の表現形式に加えてカラーおよびモノクロの種類が用意されており、ユーザは、可変情報を入力する際にカバーページ用のひな形データ３０から好みのひな形データを選択することができる。もちろん、使用頻度の高いカバーページについては前もって入力された所望の情報を含む形で、そのままひな形データとして記憶させておくことにより、そのひな形データをそのままカバーページ用のデータとして、可変情報を入力することなくカバーページの種類を選択するだけで次の処理に進んでも良い。
【００２９】
カバーページ用のひな形データ３０の可変部分３２に所望の情報が入力されると、ＣＰＵ１０は、カバーページ用のひな形データ３０にカラー画像を取り込むためにユーザによるキー操作が行われたか否かを判断する（Ｓ３）。
【００３０】
カバーページ用のひな形データ３０にカラー画像を取り込む場合（Ｓ３：ＹＥＳ）、ＣＰＵ１０は、カラー画像読取処理を行う（Ｓ４）。このカラー画像読取処理では、社標やロゴマーク、広告、キャンペーンなどのカラー画像を表した用紙が、読取部２１においてカラー方式により読み取られる。こうした読取処理を経て得られたカラーの画像データは、一時的にＲＡＭ１２に格納される。
【００３１】
そして、ＣＰＵ１０は、読み取られたカラーの画像データの縦横のサイズが前記ＲＡＭ１２のカバーページ用ひな形データのイメージ領域３３の縦横方向のサイズと比較し、該イメージ領域３３の縦横サイズに納まる時は、該読み取られた画像データの縦横サイズのまま該イメージ領域３３に取り込み、読み取られた画像データの縦横方向のサイズのうちいづれか一方が前記イメージ領域３３の縦横方向のサイズより大きく、該イメージ領域３３に納まらない時は、該読み取られた画像データがその領域内に納まるサイズまで該画像データの縮小して該イメージ領域３３に取り込み、所望のカラーのカバーページデータを作成する（Ｓ５）。ここで、作成されたカラーのカバーページデータは、後述するカバーページの送信までＲＡＭ１２に記憶される。
【００３２】
次に、ＣＰＵ１０は、送信すべきカバーページデータにカラー画像が含まれるか否かを判断する（Ｓ６）。なお、この際にＣＰＵ１０は、カバーページデータがＥＥＰＲＯＭ１５に記憶された当初からカラーのものか、モノクロのものかに基づいて判断しても良く、あるいは、ユーザがカバーページのみを対象としてカラー方式による送信を選択したか、モノクロ方式による送信を選択したかに基づいて判断しても良い。
【００３３】
カバーページデータにカラー画像を含む場合（Ｓ６：ＹＥＳ）、ＣＰＵ１０は、カバーページの送信方式をカラー方式として決定する（Ｓ７）。ここで、決定された結果は、カバーページのみの送信方式情報としてＲＡＭ１２に一時記憶される。なお、カバーページデータがＥＥＰＲＯＭ１５に記憶された当初からカラーの場合や、ユーザがカバーページのみを対象としてカラー方式による送信を選択した場合に応じて、カバーページの送信方式をカラー方式として決定しても良い。
【００３４】
次に、ＣＰＵ１０は、読取部２１に原稿がセットされたか否かをセンサからの信号に基づいて判断する（Ｓ８）。
【００３５】
原稿がセットされている場合（Ｓ８：ＹＥＳ）、ＣＰＵ１０は、送信先電話番号の入力に続いて、原稿をカラー送信するためのユーザによるスタートキー操作が行われたか否かを判断する（Ｓ９）。送信先電話番号は、操作部２３のテンキーなどを利用して直接入力されるほか、ＥＥＰＲＯＭ１５などに登録された電話番号情報を呼び出して入力されるとしても良い。
【００３６】
カラー送信の開始が指示されると（Ｓ９：ＹＥＳ）、ＣＰＵ１０は、カラー原稿読取処理を行う（Ｓ１０）。このカラー原稿読取処理では、読取部２１にセットされた原稿が１枚ずつカラー方式により読み取られる。こうした読取処理を経て得られたカラーの原稿データは、送信されるまで順次ＲＡＭ１２に蓄積される。なお、カラー送信の開始が指示されたことは、原稿のみの送信方式情報としてＲＡＭ１２に一時記憶される。
【００３７】
カラー原稿読取処理の開始に伴い、ＣＰＵ１０は、公衆電話回線２８に送信先電話番号を送出して送信先と回線接続状態とし、ファクシミリ送信制御プロトコルに基づいてＲＡＭ１２からカラー画像を含むカバーページデータを読み出してカラー方式により送信する（Ｓ１１）。この際、ＣＰＵ１０は、ＲＡＭ１２に記憶されたカバーページのみの送信方式情報に基づいてカバーページデータを送信する。こうして送信されたカバーページデータがカラー方式対応のファクシミリ装置で受信されると、カラー画像を含むカバーページが印刷結果として出力されることとなる。
【００３８】
カバーページデータの送信を終えると、ＣＰＵ１０は、続いてＲＡＭ１２からカラーの原稿データを順次読み出してカラー方式により送信し（Ｓ１２）、全ての原稿データを送信し終えると、公衆電話回線２８との間を開放状態として全体の処理を終える。この際、ＣＰＵ１０は、ＲＡＭ１２に記憶された原稿のみの送信方式情報に基づいて原稿データを送信する。こうして送信された原稿データがカラー方式対応のファクシミリ装置で受信されると、カラーの原稿がカバーページに続いて出力されることとなる。要するに、１回の送信でカバーページをカラー方式で送信できるとともに、原稿もカラー方式で送信できる。なお、原稿データを先に送信し、それからカバーページデータを送信するとしても良い。
【００３９】
Ｓ９において、カラー送信ではなくモノクロ送信の開始が指示された場合（Ｓ９：ＮＯ）、ＣＰＵ１０は、モノクロ原稿読取処理を行う（Ｓ１３）。このモノクロ原稿読取処理では、読取部２１にセットされた原稿が１枚ずつモノクロ方式により読み取られる。こうした読取処理を経て得られたモノクロの原稿データは、送信されるまで順次ＲＡＭ１２に蓄積される。なお、モノクロ送信の開始が指示されたことは、原稿のみの送信方式情報としてＲＡＭ１２に一時記憶される。
【００４０】
モノクロ原稿読取処理の開始に伴い、ＣＰＵ１０は、公衆電話回線２８に送信先電話番号を送出して送信先と回線接続状態とし、ファクシミリ送信制御プロトコルに基づいてＲＡＭ１２からカラー画像を含むカバーページデータを読み出してカラー方式により送信する（Ｓ１４）。この際、ＣＰＵ１０は、ＲＡＭ１２に記憶されたカバーページのみの送信方式情報に基づいてカバーページデータを送信する。こうして送信されたカバーページデータがカラー方式対応のファクシミリ装置で受信されると、カラー画像を含むカバーページが印刷結果として出力されることとなる。
【００４１】
カバーページデータの送信を終えると、ＣＰＵ１０は、続いてＲＡＭ１２からモノクロの原稿データを順次読み出してモノクロ方式により送信し（Ｓ１５）、全ての原稿データを送信し終えると、公衆電話回線２８との間を開放状態として全体の処理を終える。この際、ＣＰＵ１０は、ＲＡＭ１２に記憶された原稿のみの送信方式情報に基づいて原稿データを送信する。こうして送信された原稿データがファクシミリ装置で受信されると、モノクロの原稿がカラーのカバーページに続いて出力され、カバーページが原稿に比べて一際目立つこととなる。本実施例の通信方式においては、頁毎にその送信前に送信用のデータがカラーであるかモノクロであるかを送信側でチェックを行いそのチェック結果に応じて送信相手側にカラー、モノクロ送信のいづれであるかをその頁の送信前に、頁毎に送信するように構成されている。要するに、１回の送信でカバーページをカラー方式で送信できる一方、原稿をモノクロ方式として送信できる。
【００４２】
Ｓ８において、読取部２１において原稿がセットされていない場合（Ｓ８：ＮＯ）、ＣＰＵ１０は、読取部２１に原稿がセットされるまで待機する。なお、一定時間が経過しても読取部２１に原稿がセットされない場合には、全体の処理を終えても良い。
【００４３】
Ｓ６において、カバーページデータにカラー画像が含まれない場合（Ｓ６：ＮＯ）、ＣＰＵ１０は、カバーページの送信方式をモノクロ方式として決定する（Ｓ１６）。ここで、決定された結果は、カバーページのみの送信方式情報としてＲＡＭ１２に一時記憶される。なお、カバーページデータがＥＥＰＲＯＭ１５に記憶された当初からモノクロの場合や、ユーザがカバーページのみを対象としてモノクロ方式による送信を選択した場合に応じて、カバーページの送信方式をモノクロ方式として決定しても良い。
【００４４】
次に、ＣＰＵ１０は、Ｓ８，Ｓ９と同様に、読取部２１に原稿がセットされたか否かを判断するとともに（Ｓ１７）、原稿がセットされている場合（Ｓ１７：ＹＥＳ）、原稿をカラー送信するためのユーザによるスタートキー操作が行われたか否かを判断する（Ｓ１８）。なお、原稿がセットされていない場合（Ｓ１７：ＮＯ）、ＣＰＵ１０は、読取部２１に原稿がセットされるまで待機するとしても良い。
【００４５】
カラー送信の開始が指示されると（Ｓ１８：ＹＥＳ）、ＣＰＵ１０は、Ｓ１０と同様にカラー原稿読取処理を行う（Ｓ１９）。
【００４６】
カラー原稿読取処理の開始に伴い、ＣＰＵ１０は、公衆電話回線２８に送信先電話番号を送出して送信先と回線接続状態とし、ファクシミリ送信制御プロトコルに基づいてＲＡＭ１２からカバーページデータを読み出してモノクロ方式により送信する（Ｓ２０）。この際、ＣＰＵ１０は、ＲＡＭ１２に記憶されたカバーページのみの送信方式情報に基づいてカバーページデータを送信する。こうして送信されたカバーページデータがファクシミリ装置で受信されると、カバーページがモノクロで印刷出力されることとなる。
【００４７】
カバーページデータの送信を終えると、ＣＰＵ１０は、Ｓ１２と同様にカラーの原稿データをカラー方式により送信し（Ｓ２１）、全体の処理を終える。この際、ＣＰＵ１０は、ＲＡＭ１２に記憶された原稿のみの送信方式情報に基づいて原稿データを送信する。こうして送信された原稿データがカラー方式対応のファクシミリ装置で受信されると、カラーの原稿がモノクロのカバーページに続いて出力されることとなる。要するに、１回の送信でカバーページをモノクロ方式で送信できる一方、原稿をカラー方式として送信できる。
【００４８】
Ｓ１８において、カラー送信ではなくモノクロ送信の開始が指示された場合（Ｓ１８：ＮＯ）、ＣＰＵ１０は、Ｓ１３と同様にモノクロ原稿読取処理を行う（Ｓ２２）。
【００４９】
モノクロ原稿読取処理の開始に伴い、ＣＰＵ１０は、Ｓ２０と同様に公衆電話回線２８に送信先電話番号を送出して送信先と回線接続状態とし、ファクシミリ送信制御プロトコルに基づいてＲＡＭ１２からカバーページデータを読み出してモノクロ方式により送信する（Ｓ２３）。この際、ＣＰＵ１０は、ＲＡＭ１２に記憶されたカバーページのみの送信方式情報に基づいてカバーページデータを送信する。こうして送信されたカバーページデータがファクシミリ装置で受信されると、カバーページがモノクロで印刷出力されることとなる。
【００５０】
カバーページデータの送信を終えると、ＣＰＵ１０は、Ｓ１５と同様にモノクロの原稿データをモノクロ方式により送信し（Ｓ２４）、全体の処理を終える。この際、ＣＰＵ１０は、ＲＡＭ１２に記憶された原稿のみの送信方式情報に基づいて原稿データを送信する。こうして送信された原稿データがファクシミリ装置で受信されると、モノクロの原稿がモノクロのカバーページに続いて出力されることとなる。要するに、１回の送信でカバーページをモノクロ方式で送信できるとともに、原稿もモノクロ方式で送信できる。
【００５１】
Ｓ３において、カバーページ用のひな形データ３０または所望の可変情報が入力されたカバーページ用のデータにカラー画像を取り込まない場合（Ｓ３：ＮＯ）、ＣＰＵ１０は、Ｓ４，Ｓ５をスキップしてＳ６に進む。
【００５２】
Ｓ１において、カバーページを必要としない場合（Ｓ１：ＮＯ）、ＣＰＵ１０は、Ｓ８，Ｓ９と同様に、読取部２１に原稿がセットされたか否かを判断するとともに（Ｓ２５）、原稿がセットされている場合（Ｓ２５：ＹＥＳ）、原稿をカラー送信するためのユーザによるスタートキー操作が行われたか否かを判断する（Ｓ２６）。なお、原稿がセットされていない場合（Ｓ２５：ＮＯ）、ＣＰＵ１０は、はじめの段階に戻って待機するとしても良い。
【００５３】
カラー送信の開始が指示されると（Ｓ２６：ＹＥＳ）、ＣＰＵ１０は、Ｓ１０，Ｓ１９と同様にカラー原稿読取処理を行う（Ｓ２７）。
【００５４】
そして、ＣＰＵ１０は、カラー原稿読取処理の開始に伴い、公衆電話回線２８に送信先電話番号を送出して送信先と回線接続状態とし、ファクシミリ送信制御プロトコルに基づいてＲＡＭ１２からカラーの原稿データを順次読み出してカラー方式により送信する（Ｓ２８）。全ての原稿データを送信し終えると、ＣＰＵ１０は、公衆電話回線２８との間を開放状態として全体の処理を終える。つまり、この場合には、１回の送信で原稿のみがカラー方式により送信される。
【００５５】
Ｓ２６において、カラー送信ではなくモノクロ送信の開始が指示された場合（Ｓ２６：ＮＯ）、ＣＰＵ１０は、Ｓ１３，Ｓ２２と同様にモノクロ原稿読取処理を行う（Ｓ２９）。
【００５６】
そして、ＣＰＵ１０は、モノクロ原稿読取処理の開始に伴い、公衆電話回線２８に送信先電話番号を送出して送信先と回線接続状態とし、ファクシミリ送信制御プロトコルに基づいてＲＡＭ１２からモノクロの原稿データを順次読み出してモノクロ方式により送信する（Ｓ３０）。全ての原稿データを送信し終えると、ＣＰＵ１０は、公衆電話回線２８との間を開放状態として全体の処理を終える。つまり、この場合には、１回の送信で原稿のみがモノクロ方式により送信される。
【００５７】
したがって、上記ファクシミリ装置によれば、１回の送信により、カバーページデータおよび原稿データをそれぞれ、カラーとカラー、カラーとモノクロ、モノクロとカラー、モノクロとモノクロの都合４パターンをもって送信できる。特に、カバーページをカラーとする一方、原稿をモノクロとして送信した場合には、受信先のファクシミリ装置などにおいてカラーのカバーページが印刷され、カバーページ内のカラー画像をカラフルに目立たせてモノクロ原稿との差別化を図ることができる。
【００５８】
また、原稿枚数などに応じてデータサイズが比較的大きい原稿データのみをモノクロ方式で送信できるので、カラー方式で送信する場合に比べて通信時間を節約することができる。
【００５９】
なお、本発明は、上記の実施形態に限定されるものではない。
【００６０】
カバーページにカラー画像を含むカバーページデータや、本来カラーにより定義されたカバーページデータであっても、ユーザによりモノクロ方式による送信が選択された場合には、カラーからモノクロに変換してカバーページデータを送信するとしても良い。
【００６１】
また、ファクシミリ装置をパーソナルコンピュータに接続可能とし、パーソナルコンピュータとの間でやり取りされる画像データをカバーページデータに含めるとしても良い。
【００６２】
カバーページは、ファクシミリ送信に際して作成されるとしたが、ファクシミリ送信などを行わない待機時にあらかじめカバーページデータを作成しておき、ファクシミリ送信の際には、ユーザが好みのカバーページを選択するのみとしても良い。
【００６３】
原稿データは、１枚の原稿ごとにカラー／モノクロ方式を切り換えて送信できるとしても良い。
【００６４】
さらに、ファクシミリ送信制御プロトコルによっては１回の送信で送信方式を切り換えできず、一義的にカラー方式またはモノクロ方式のいずれかに規定される場合もあるが、この場合には、カバーページデータおよび原稿データのデータ形式をカラーまたはモノクロのいずれかに統一させれば良い。特に、カバーページデータおよび原稿データの一方がカラーで他方がモノクロの場合、特に、カバーページデータがカラーの時は全てのデータをカラーとしてカラー方式により送信するのが望ましいが、原稿データの頁数が多かったりしてそれらを送信する際の所要時間が掛かりすぎるような時は全てのデータをモノクロ方式により送信するようにしても良い。
【００６５】
【発明の効果】
以上説明したように、請求項１に記載した発明の通信装置によれば、原稿データとは送信方式を別にしてカバーページデータの送信方法が送信方法設定手段でカラー方法に設定されると、カバーページデータをカラー方式で送信するので、たとえば原稿データをモノクロ方式で送信する一方、それに相異してカラーのカバーページデータをカラー方式で送信することができ、カラーのカバーページをカラフルに目立たせてモノクロ原稿との差別化を図ることができる。
【００６６】
また、請求項２に記載した発明の通信装置によれば、請求項１に記載の通信装置による効果に加えて、カバーページデータをカラー方式で送信するか、またはモノクロ方式で送信するかを、ユーザが原稿データとは切り離して任意に選択することができる。
【００６７】
さらに、請求項３に記載した発明の通信装置によれば、請求項１に記載の通信装置による効果に加えて、所望のカラー画像データを読み取るという簡単な操作によりカラーのカバーページデータを作成できる。
【００６８】
さらに、請求項４に記載した発明の通信装置によれば、請求項１または３に記載の通信装置による効果に加えて、カバーページデータに部分的なカラー画像データが含まれる場合、そのカバーページデータを自動的にカラー方式で送信することができる。
【００６９】
また、請求項５に記載した発明の記憶媒体によれば、記憶されたプログラムに基づいてＣＰＵを動作させることにより、請求項１に記載の通信装置の動作を実現することができる。
【図面の簡単な説明】
【図１】  本発明に係る通信装置の一実施形態としてのファクシミリ装置の回路ブロック図である。
【図２】  カバーページ送信機能に伴うデータの処理手順を示すフローチャートである。
【図３】  カバーページ用ひな形データの一例を示す説明図である。
【符号の説明】
１０  ＣＰＵ
１１  ＮＣＵ
１２  ＲＡＭ
１３  モデム
１４  ＲＯＭ
１５  ＥＥＰＲＯＭ
１６  ゲートアレイ
１７  コーデック
１８  ＤＭＡＣ
２１  読取部
２２  印刷部
２３  操作部
２４  表示部
３０  カバーページ用ひな形データ
３１  固定部分
３２  可変部分
３３  イメージ領域
【図１】
0003820901.tif 000002
【図２】
0003820901.tif 000003
【図３】
0003820901.tif 000004